(57)【要約】【課題】薄板を締結しているタッピンネジを外した後、薄板をネジで繰り返し締結する場合であっても、薄板に形成された雌ネジが破壊や変形されることなく、所定の締結力が得られるようにする【解決手段】薄板を締結していたタッピンネジに替えて、頭部１１と、頭部１１から垂下する円柱状の軸部１２と、軸部１２に形成された雄ネジ山と１３を有するネジ１ａであって、軸部１２の先端部から頭部方向に所定距離Ｄ隔てた位置から雄ネジ山１３が形成されているネジ１ａで薄板を締結する。ここで、ネジ１ａの雄ネジ山１３は、軸部の先端部から頭部方向に２ｍｍ〜５ｍｍの範囲隔てた位置から形成されているのが好ましい。【選択図】図２
2013104540.tif 000002
【特許請求の範囲】
【請求項１】
薄板を締結しているタッピンネジを外した後、前記タッピンネジに替えて、頭部と、頭部から垂下する円柱状の軸部と、軸部に形成された雄ネジ山とを有し、軸部の直径及び雄ネジ山のピッチと高さが前記タッピンネジと等しいネジであって、軸部の先端部から頭部方向に所定距離隔てた位置から雄ネジ山が形成されたネジで薄板を締結することを特徴とする薄板の再締結方法。
【請求項２】
前記ネジの雄ネジ山が、軸部の先端部から頭部方向に２ｍｍ〜５ｍｍの範囲隔てた位置から形成されている請求項１記載の薄板の再締結方法。
【請求項３】
前記ネジの雄ネジ山が、頭部側から順に標準雄ネジ山と変形雄ネジ山とから構成され、変形雄ネジ山は、標準雄ネジ山との接続部から軸部の先端部に向かって高さが徐々に低く及び／又は進み側のフランク角が徐々に小さくなっている請求項１又は２記載の薄板の再締結方法。
【請求項４】
変形雄ネジ山が、軸部に半回転以上形成されている請求項３記載の薄板の再締結方法。
【請求項５】
底面視において、変形雄ネジ山の形成開始点と軸部の中心とを結んだ直線と、変形雄ネジ山の立ち上がり傾斜面とのなす角が９０°以下である請求項３又は４記載の薄板の再締結方法。
【請求項６】
変形雄ネジ山の立ち上がり傾斜面と稜線との角部が丸め処理されている請求項３〜５のいずれかに記載の薄板の再締結方法。
【請求項７】
前記ネジを締結する薄板の板厚が０．８ｍｍ以下である請求項１〜６のいずれかに記載の薄板の再締結方法。
【発明の詳細な説明】
【技術分野】
【０００１】
本発明は薄板の再締結方法に関し、より詳細には、薄板を締結しているタッピンネジを外した後、薄板を再びネジで締結する場合に実施される再締結方法に関するものである。
【背景技術】
【０００２】
事務機器や電子機器、通信機器などにおいて、樹脂製や金属製の部品を取り付ける際に、タッピンネジが広く使用されている。図７及び図８に示すように、タッピンネジ２ａ，２ｂは、軸部１２の先端部まで雄ネジ山１３が形成されており、被締結部材に雌ネジを螺刻可能なタップ機能を有する。このためタッピンネジを用いれば、被締結部材に雌ネジを螺刻する必要がなく部材加工が簡略化できる。
【０００３】
ところが、被締結部材が薄板である場合、一度締結したタッピンネジを外し再び締結する際に、タッピンネジによって被締結部材の雌ネジが破壊あるいは変形されてタッピンネジが空転することがある。雌ネジの破壊や変形を回避するには、タッピンネジの締付トルクを小さくすればよいが、締付トルクを小さくすると所定の締結力が得られなくなる。
【０００４】
特許文献１には、繰り返し締結可能でネジに軸力を確保できるようにするため、被締結部材の下穴周辺に、ネジ込み方向に対して凹む凹状部を設けたネジ締結構造が提案されている。また、特許文献２には、被締結部材の下穴の入口部をタッピンネジの雄ネジ山の略１ピッチ分の高さにおいて大径とすると共に、この大径部の底面を螺旋傾斜面とし、螺旋傾斜面の傾斜角度をタッピンネジの雄ネジ山の傾斜角度と等しくする構造が提案されている。
【先行技術文献】
【特許文献】
【０００５】
【特許文献１】特開2004-156775号公報
【特許文献２】特開2007-187305号公報
【発明の概要】
【発明が解決しようとする課題】
【０００６】
しかしながら、前記提案の締結構造はいずれも、タッピンネジを繰り返し使用するので、被締結部材に形成された雌ネジの破壊や変形を完全に防止することはできない。
【０００７】
本発明はこのような従来の問題に鑑みてなされたものであり、その目的は、薄板をネジで繰り返し締結する場合であっても、薄板に形成された雌ネジが破壊や変形することなく、所定の締結力が得られる薄板の再締結方法を提供することにある。
【課題を解決するための手段】
【０００８】
本発明によれば、薄板を締結しているタッピンネジを外した後、前記タッピンネジに替えて、頭部と、頭部から垂下する円柱状の軸部と、軸部に形成された雄ネジ山とを有するネジであって、軸部の先端部から頭部方向に所定距離隔てた位置から雄ネジ山が形成されているネジで薄板を締結することを特徴とする薄板の再締結方法が提供される。
【０００９】
ここで、前記ネジの雄ネジ山は、軸部の先端部から頭部方向に２ｍｍ〜５ｍｍの範囲隔てた位置から形成されているのが好ましい。
【００１０】
また、前記ネジの雄ネジ山が、頭部側から順に標準雄ネジ山と変形雄ネジ山とから構成され、変形雄ネジ山は、標準雄ネジ山との接続部から軸部の先端部に向かって高さが徐々に低く及び／又は進み側のフランク角が徐々に小さくなっているのが好ましい。
【００１１】
変形雄ネジ山は、軸部に半回転以上形成されているのが好ましい。
【００１２】
底面視において、変形雄ネジ山の形成開始点と軸部の中心とを結んだ直線と、変形雄ネジ山の立ち上がり傾斜面とのなす角が９０°以下であるのが好ましい。
【００１３】
変形雄ネジ山の立ち上がり傾斜面と稜線との角部は丸め処理されているのが好ましい。
【００１４】
そしてまた、前記ネジを締結する薄板の板厚が０．８ｍｍ以下であるのが好ましい。
【発明の効果】
【００１５】
本発明の薄板の再締結方法では、薄板を締結しているタッピンネジを外した後、薄板を再びネジで締結する場合、タッピンネジに替えて、軸部の先端部から頭部方向に所定距離隔てた位置から雄ネジ山が形成されたネジを用いるのでタップ機能は発揮されず、薄板に形成されている雌ネジが破壊・変形されることがなく、所定の締結力が得られる。
【図面の簡単な説明】
【００１６】
【図１】電子機器の側面の斜視図を示す。
【図２】本発明で使用するネジの一例を示す斜視図である。
【図３】図２に示すネジの垂直断面図である。
【図４】本発明で使用するネジの他の例を示す斜視図である。
【図５】図４に示すネジの軸部の先端部の拡大斜視図である。
【図６】図４に示すネジの底面図である。
【図７】タッピンネジの一例を示す斜視図である。
【図８】タッピンネジの他の例を示す斜視図である。
【発明を実施するための形態】
【００１７】
以下、本発明を図に基づいてさらに詳しく説明するが本発明はこれらの実施形態に何ら限定されるものではない。
【００１８】
本発明の薄板の再締結方法の大きな特徴は、薄板を締結しているタッピンネジを外した後、再度薄板をネジで締結する場合には、タッピンネジに替えて、軸部の先端部から頭部方向に所定距離隔てた位置から雄ネジ山が形成されているネジを用いることにある。かかるネジはタップ機能を有しないので、被締結部材に形成されている雌ネジが破壊・変形されることがない。
【００１９】
図１に、プリンターやファクシミリ等の電子機器の側面の斜視図を示す。この図に示す電気機器では外壁としての薄板がタッピンネジで締結されている。例えば、機器の保守点検やコントローラやメモリーの増設する場合には、タッピンネジ２ａを外して薄板３が取り外される。そして、所定の作業が終了すると薄板３が再び取り付けられる。このとき、薄板３を取り付けるネジとして、タッピンネジ２ａに替えて例えば図２に示すネジ１ａを用いる。
【００２０】
図２に示すネジ１ａは、頭部１１と、頭部１１から垂下する円柱状の軸部１２と、軸部１２に形成された雄ネジ山１３とを有する。軸部１２の直径及び雄ネジ山１３のピッチと高さは、取り外したタッピンネジと同じである。そして、ここで重要なことは、軸部１２の先端部から所定距離Ｄ隔てた位置から雄ネジ山１３が形成されていることである。これによってネジ１ａによるタップ機能が奏されず、薄板に形成されている雌ネジが破壊・変形されることがない。
【００２１】
軸部１２の先端部から雄ネジ山１３の形成開始位置までの距離Ｄとしては、通常、２ｍｍ〜５ｍｍの範囲が好ましい。距離Ｄが２ｍｍ未満ではネジ１ａがタップ機能を発揮するおそれがある一方、距離Ｄが５ｍｍを超えると軸部１２が必要以上に長くなるからである。
【００２２】
また、ネジを締結する薄板の厚みに特に限定はないが、板厚が０．８ｍｍ以下の場合に本発明の再締結方法が好適に適用される。
【００２３】
ネジによるタップ機能が確実に奏されないようにする観点からは、軸部１２に形成する雄ネジ山１３を頭部側から順に標準雄ネジ山と変形雄ネジ山とから構成し、変形雄ネジ山が標準雄ネジ山との接続部から軸部の先端部に向かって高さが徐々に低く及び／又は進み側のフランク角が徐々に小さくなるようにするのが好ましい。
【００２４】
図３に、雄ネジ山１３が、標準雄ネジ山１３１と変形雄ネジ山１３２とから構成されたネジ１ｃの垂直断面図を示す。この図のネジ１ｃは、頭部側から標準雄ネジ山１３１と変形雄ネジ山１３２と連続して形成されている。そして、変形雄ネジ山１３２の進み側フランク角が、軸部１２の先端部に向かって徐々に小さくなり、最終的にはゼロとなっている。
【００２５】
変形雄ネジ山１３２の形成長さに特に限定はないが、軸部１２に対して半回転以上形成されているのが好ましい。これによりネジ１ｃによる雌ネジの破壊・変形が確実に防止できる。なお、変形雄ネジ山１３２の好ましい形成長さの上限値は１回転半である。
【００２６】
図４に、本発明の再締結方法に使用できるネジの他の実施形態を示す斜視図を示す。この図に示すネジ１ｂは、頭部１１と、頭部１１から垂下する円柱状の軸部１２と、軸部１２に形成された雄ネジ山１３とを有し、軸部１２の先端部から距離Ｄ隔てた位置から雄ネジ山１３が形成されている点は図２に示したネジ１ａと同じであるが、変形雄ネジ山１３の立ち上がりが傾斜面１３３となっている点が異なる。
【００２７】
図５に、軸部１２の先端部の拡大斜視図を、図６に底面図をそれぞれ示す。変形雄ネジ山１３２の立ち上がり傾斜面１３３と、変形雄ネジ山１３２の形成開始点と軸部１２の中心Ｏ（図６に図示）とを結んだ直線Ｌとのなす角θ１は４５°とされている。また、変形雄ネジ山１３２の立ち上がり傾斜面１３３と稜線との角部Ｒは丸め処理されている。これらにより、ネジ１ｂによるタップ機能が確実に奏されないようになる。なお、角度θ１は９０°以下とするのが好ましく、角部Ｒの曲率半径は０．０５ｍｍ程度が好ましい。
【００２８】
以上説明したネジにおいて、タッピンネジかタップ機能を有さないネジかを容易に判別できるようにするために、ネジに色をつけてもよい。色つけ方法としては、例えばめっき処理などが好適に使用できる。
【産業上の利用可能性】
【００２９】
本発明に係る薄板の再締結方法では、薄板を締結しているタッピンネジを外した後、薄板を再びネジで締結する場合、タッピンネジに替えて、軸部の先端部から頭部方向に所定距離隔てた位置から雄ネジ山が形成されたネジを用いるので、ネジによるタップ機能は発揮されず、薄板に形成されている雌ネジが破壊・変形されることがなく、所定の締結力が得られ有用である。
【符号の説明】
【００３０】
１ａ，１ｂ，１ｃ    ネジ
Ｒ    角部
１１    頭部
１２    軸部
１３    雄ネジ山
１３１    標準雄ネジ山
１３２    変形雄ネジ山
１３３    傾斜面
【図１】
2013104540.tif 000003
【図２】
2013104540.tif 000004
【図３】
2013104540.tif 000005
【図４】
2013104540.tif 000006
【図５】
2013104540.tif 000007
【図６】
2013104540.tif 000008
【図７】
2013104540.tif 000009
【図８】
2013104540.tif 000010